(57)【特許請求の範囲】
【請求項１】
処理液を貯留するタンクと、
前記タンクに接続され、前記タンクから出て前記タンクに戻る前記処理液の循環流が流れる循環ラインと、
前記循環ラインから分配された前記処理液を基板に供給することにより基板を処理する処理ユニットと、
前記基板に供給された後に前記処理ユニットから排出される前記処理液を前記タンクに戻す戻しラインと、
前記タンクの内壁面に向けて洗浄液を吐出して、前記内壁面を前記洗浄液により洗浄する洗浄ノズルと、
前記循環ラインから分岐して、前記洗浄ノズルに前記洗浄液として前記処理液を供給する洗浄用ラインと、
前記洗浄用ラインに介設された第１開閉弁と、
前記洗浄用ラインが分岐する分岐点よりも下流側であってかつ前記タンクよりも上流側において前記循環ラインに設けられた第２開閉弁と、
前記タンク内の前記処理液を廃棄するドレンラインと、
前記ドレンラインに介設された第３開閉弁と、
前記処理ユニットで基板が処理されているときに前記第１開閉弁及び前記第３開閉弁が閉じられかつ前記第２開閉弁が開かれ、前記処理ユニットで基板が処理されておらず且つ前記タンクの内壁面が前記洗浄液により洗浄されるときに前記第２開閉弁が閉じられかつ前記第１開閉弁及び前記第３開閉弁が開かれるように、前記第１開閉弁及び前記第２開閉弁を制御する制御部と、
を備えた基板液処理装置。
【請求項２】
前記処理液を予め設定された目標高さ位置まで補充する処理液補充部をさらに備え、
前記洗浄ノズルは、前記目標高さ位置よりも高い位置に配置され、
前記洗浄ノズルは、当該洗浄ノズルから吐出された前記処理液の前記内壁面への着液高さ位置が、前記目標高さ位置と同じか若しくはそれよりも高くなるように設けられている、
請求項１記載の基板液処理装置。
【請求項３】
前記洗浄ノズルは、前記タンクの内壁面に沿って水平方向に延び、前記水平方向に沿って間隔を空けて設けられた複数の吐出口を有する、請求項１記載の基板液処理装置。
【請求項４】
処理液を貯留するタンクと、前記タンクに接続され、前記タンクから出て前記タンクに戻る前記処理液の循環流が流れる循環ラインと、前記循環ラインから分配された前記処理液を基板に供給することにより前記基板を処理する処理ユニットと、前記基板に供給された後に前記処理ユニットから排出される前記処理液を前記タンクに戻す戻しラインと、前記タンクの内壁面に向けて洗浄液を吐出して、前記内壁面を前記洗浄液により洗浄する洗浄ノズルと、前記循環ラインから分岐して、前記洗浄ノズルに前記洗浄液として前記処理液を供給する洗浄用ラインと、前記洗浄用ラインに介設された第１開閉弁と、前記洗浄用ラインが分岐する分岐点よりも下流側であってかつ前記タンクよりも上流側において前記循環ラインに設けられた第２開閉弁と、前記タンク内の前記処理液を廃棄するドレンラインと、前記ドレンラインに介設された第３開閉弁とを備えた基板液処理装置における前記タンクの洗浄方法において、
前記洗浄方法は、前記処理ユニットで基板が処理されているときに閉じられている前記第１開閉弁及び前記第３開閉弁を開き、かつ、前記処理ユニットで基板が処理されているときに開かれている前記第２開閉弁を閉じることにより、前記循環ラインを流れる前記処理液を取り出して、この処理液を、前記洗浄液として前記洗浄ノズルから前記タンクの内壁面に向けて吐出するとともに、前記タンク内にある前記処理液を前記ドレンラインを介して排出しながら行われる、タンク洗浄方法。
【請求項５】
前記タンク洗浄方法は前記タンクに貯留された処理液を交換するときに実施される、請求項４記載のタンク洗浄方法。
【請求項６】
基板液処理装置の動作を制御するためのコンピュータにより実行されたときに、前記コンピュータが前記基板液処理装置を制御して請求項４または５記載のタンク洗浄方法を実行させるプログラムが記録された記憶媒体。
【発明の詳細な説明】
【技術分野】
【０００１】
本発明は、基板液処理装置において処理液供給部を構成するタンクを洗浄する技術に関する。
【背景技術】
【０００２】
半導体装置の製造においては、半導体ウエハ等の基板に、ウエット洗浄処理、ウエットエッチング処理等の液処理が施される。このような液処理を行う基板液処理装置においては、安定した濃度及び温度の薬液を基板に供給することを容易とするため、処理液を貯留するタンクと、タンクに接続された循環ラインと、循環ラインから分岐する複数の分岐ラインを備えた処理液供給部が設けられ、上記複数の分岐ラインをそれぞれ介して複数の処理ユニットに処理液が送られる。処理ユニットで一旦基板に供給された使用済みの処理液が、回収ラインを介してタンクに戻された後に循環ラインに送り出され、再び処理に供される（例えば特許文献１を参照）
【０００３】
タンク内に戻された使用済みの処理液にはパーティクルが含まれており、タンクの内壁面にパーティクルが付着すると、タンクを汚染してしまう。
【先行技術文献】
【特許文献】
【０００４】
【特許文献１】特開２０１５−２２０３１８号公報
【発明の概要】
【発明が解決しようとする課題】
【０００５】
本発明は、基板液処理装置において、基板に供給された使用済みの処理液が戻されたタンクの内壁面を洗浄することができる技術を提供することを目的としている。
【課題を解決するための手段】
【０００６】
本発明の一実施形態によれば、処理液を貯留するタンクと、前記タンクに接続され、前記タンクから出て前記タンクに戻る前記処理液の循環流が流れる循環ラインと、前記循環ラインから分配された前記処理液を基板に供給することにより基板を処理する処理ユニットと、前記基板に供給された後に前記処理ユニットから排出される前記処理液を前記タンクに戻す戻しラインと、前記タンクの内壁面に向けて洗浄液を吐出して、前記内壁面を前記洗浄液により洗浄する洗浄ノズルと、前記洗浄ノズルに洗浄液を供給する洗浄用ラインとを備えた基板液処理装置が提供される。
【０００７】
本発明の他の実施形態によれば、処理液を貯留するタンクと、前記タンクに接続され、前記タンクから出て前記タンクに戻る前記処理液の循環流が流れる循環ラインと、前記循環ラインから分配された前記処理液を基板に供給することにより前記基板を処理する処理ユニットと、前記基板に供給された後に前記処理ユニットから排出される前記処理液を前記タンクに戻す戻しラインと、を備えた基板液処理装置における前記タンクの洗浄方法において、前記タンクに設けられた洗浄ノズルから前記タンクの内壁面に向けて洗浄液を吐出して、前記内壁面を前記洗浄液により洗浄するタンク洗浄方法が提供される。
【０００８】
本発明の更に他の実施形態によれば、基板液処理装置の動作を制御するためのコンピュータにより実行されたときに、前記コンピュータが前記基板液処理装置を制御して請上記のタンク洗浄方法を実行させるプログラムが記録された記憶媒体が提供される
【発明の効果】
【０００９】
本発明によれば、洗浄液を洗浄ノズルからタンクの内壁面に向けて吐出することによりタンクの洗浄を行うことで、タンクの内壁面を効率良く洗浄することができる。
【図面の簡単な説明】
【００１０】
【図１】本発明の一実施形態に係る基板処理システムの概略構成を示す平面図である。
【図２】基板処理システムに含まれる処理ユニットの概略構成を示す縦断面図である。
【図３】処理ユニットに処理液を供給する処理液供給源（処理液供給機構）の構成を示す配管図である。
【図４】処理液供給源に含まれるタンク内への洗浄ノズル配置の一例を示す概略平面図である。
【図５】処理液供給源に含まれるタンク内への洗浄ノズル配置の他の例を示す概略平面図である。
【図６】タンク内への洗浄ノズル配置を説明するための図４のＶＩ−ＶＩ線に沿ったタンクの内壁面近傍の概略縦断面図である。断面図である。
【図７】円形の水平断面を有するタンク内に配置される洗浄ノズルの一例を示す概略平面図である。
【図８】円形の水平断面を有するタンク内に配置される洗浄ノズルの他の例を示す概略平面図である。
【図９】円筒形のタンク及びその中に配置される洗浄ノズルの一例を示す概略斜視図である。
【図１０】処理液供給源（処理液供給機構）の他の構成を示す配管図である。
【発明を実施するための形態】
【００１１】
図１は、本実施形態に係る基板処理システムの概略構成を示す図である。以下では、位置関係を明確にするために、互いに直交するＸ軸、Ｙ軸およびＺ軸を規定し、Ｚ軸正方向を鉛直上向き方向とする。
【００１２】
図１に示すように、基板処理システム１は、搬入出ステーション２と、処理ステーション３とを備える。搬入出ステーション２と処理ステーション３とは隣接して設けられる。
【００１３】
搬入出ステーション２は、キャリア載置部１１と、搬送部１２とを備える。キャリア載置部１１には、複数枚の基板、本実施形態では半導体ウエハ（以下ウエハＷ）を水平状態で収容する複数のキャリアＣが載置される。
【００１４】
搬送部１２は、キャリア載置部１１に隣接して設けられ、内部に基板搬送装置１３と、受渡部１４とを備える。基板搬送装置１３は、ウエハＷを保持するウエハ保持機構を備える。また、基板搬送装置１３は、水平方向および鉛直方向への移動ならびに鉛直軸を中心とする旋回が可能であり、ウエハ保持機構を用いてキャリアＣと受渡部１４との間でウエハＷの搬送を行う。
【００１５】
処理ステーション３は、搬送部１２に隣接して設けられる。処理ステーション３は、搬送部１５と、複数の処理ユニット１６とを備える。複数の処理ユニット１６は、搬送部１５の両側に並べて設けられる。
【００１６】
搬送部１５は、内部に基板搬送装置１７を備える。基板搬送装置１７は、ウエハＷを保持するウエハ保持機構を備える。また、基板搬送装置１７は、水平方向および鉛直方向への移動ならびに鉛直軸を中心とする旋回が可能であり、ウエハ保持機構を用いて受渡部１４と処理ユニット１６との間でウエハＷの搬送を行う。
【００１７】
処理ユニット１６は、基板搬送装置１７によって搬送されるウエハＷに対して所定の基板処理を行う。
【００１８】
また、基板処理システム１は、制御装置４を備える。制御装置４は、たとえばコンピュータであり、制御部１８と記憶部１９とを備える。記憶部１９には、基板処理システム１において実行される各種の処理を制御するプログラムが格納される。制御部１８は、記憶部１９に記憶されたプログラムを読み出して実行することによって基板処理システム１の動作を制御する。
【００１９】
なお、かかるプログラムは、コンピュータによって読み取り可能な記憶媒体に記録されていたものであって、その記憶媒体から制御装置４の記憶部１９にインストールされたものであってもよい。コンピュータによって読み取り可能な記憶媒体としては、たとえばハードディスク（ＨＤ）、フレキシブルディスク（ＦＤ）、コンパクトディスク（ＣＤ）、マグネットオプティカルディスク（ＭＯ）、メモリカードなどがある。
【００２０】
上記のように構成された基板処理システム１では、まず、搬入出ステーション２の基板搬送装置１３が、キャリア載置部１１に載置されたキャリアＣからウエハＷを取り出し、取り出したウエハＷを受渡部１４に載置する。受渡部１４に載置されたウエハＷは、処理ステーション３の基板搬送装置１７によって受渡部１４から取り出されて、処理ユニット１６へ搬入される。
【００２１】
処理ユニット１６へ搬入されたウエハＷは、処理ユニット１６によって処理された後、基板搬送装置１７によって処理ユニット１６から搬出されて、受渡部１４に載置される。そして、受渡部１４に載置された処理済のウエハＷは、基板搬送装置１３によってキャリア載置部１１のキャリアＣへ戻される。
【００２２】
図２に示すように、処理ユニット１６は、チャンバ２０と、基板保持機構３０と、処理流体供給部４０と、回収カップ５０とを備える。
【００２３】
チャンバ２０は、基板保持機構３０と処理流体供給部４０と回収カップ５０とを収容する。チャンバ２０の天井部には、ＦＦＵ（Fan  Filter  Unit）２１が設けられる。ＦＦＵ２１は、チャンバ２０内にダウンフローを形成する。
【００２４】
基板保持機構３０は、保持部３１と、支柱部３２と、駆動部３３とを備える。保持部３１は、ウエハＷを水平に保持する。支柱部３２は、鉛直方向に延在する部材であり、基端部が駆動部３３によって回転可能に支持され、先端部において保持部３１を水平に支持する。駆動部３３は、支柱部３２を鉛直軸まわりに回転させる。かかる基板保持機構３０は、駆動部３３を用いて支柱部３２を回転させることによって支柱部３２に支持された保持部３１を回転させ、これにより、保持部３１に保持されたウエハＷを回転させる。
【００２５】
処理流体供給部４０は、ウエハＷに対して処理流体を供給する。処理流体供給部４０は、処理流体供給源７０に接続される。
【００２６】
回収カップ５０は、保持部３１を取り囲むように配置され、保持部３１の回転によってウエハＷから飛散する処理液を捕集する。回収カップ５０の底部には、排液口５１が形成されており、回収カップ５０によって捕集された処理液は、かかる排液口５１から処理ユニット１６の外部へ排出される。また、回収カップ５０の底部には、ＦＦＵ２１から供給される気体を処理ユニット１６の外部へ排出する排気口５２が形成される。
【００２７】
処理流体供給源７０（処理流体供給機構）について、図３を参照して説明する。
【００２８】
処理流体供給源７０は、処理液を貯留するタンク１０２と、タンク１０２から出てタンク１０２に戻る循環ライン１０４とを有している。本実施形態において、タンク１０２は、概ね直方体の形状を有している。循環ライン１０４にはポンプ１０６が設けられている。ポンプ１０６は、タンク１０２から出て循環ライン１０４を通りタンク１０２に戻る処理液の循環流を形成する。循環ライン１０４を構成するパイプの上流端はタンク１０２の側面の最下部に接続されている。循環ライン１０４を構成するパイプの下流端は、タンク１０２内にあり、かつ、タンク１０２内に存在する処理液の液面ＬＳの高さ（液位）の最低値（最低液位）よりも低い高さ位置にある。
【００２９】
ポンプ１０６の下流側において循環ライン１０４には、処理液に含まれうるパーティクル等の汚染物質を除去するフィルタ１０８、処理液を加熱するヒータ１１０、及び開閉弁１１２が上流側から順に設けられている。
【００３０】
開閉弁１１２よりも下流側の分岐点１１３において、循環ライン１０４から分配ライン１１４が分岐している。分配ライン１１４は、複数の分岐分配ライン１１６に分岐する。これら複数の分岐分配ライン１１６の各々は、対応する１つの処理ユニット１６のノズル（図２の処理流体供給部４０に対応）に処理液を供給する。各分岐分配ライン１１６には、開閉弁及び流量制御弁等の流れ制御機器１１８が介設されている。基板保持機構３０により保持されたウエハＷに、流れ制御機器１１８により制御された流量で処理液供給ノズル（処理流体供給部４０）から処理液を供給することにより、ウエハＷに液処理を施すことができる。
【００３１】
循環ライン１０４分岐点１１３よりも下流側には定圧弁１１９が介設されている。定圧弁１１９は、その開度を調節することにより、一次側圧力を一定に制御する調圧機能を有する。定圧弁１１９は、複数の処理ユニット１６に供給される処理液の総流量の変化に応じて変化しうる分配ライン１１４内の圧力を概ね一定に維持することにより、処理液供給ノズル（処理流体供給部４０）から安定した流量で処理液が吐出されるようにする。
【００３２】
なお、処理液をウエハＷに供給中の処理ユニット１６の数が増えると、一次側圧力を高く維持するために定圧弁１１９の開度が減少する。このとき、定圧弁１１９の弁体と弁座が接触して発塵が生じるおそれがある。発塵を回避するため、処理液をウエハＷに供給中の処理ユニット１６の数（あるいは分配ライン１１４を流れる処理液の総流量）が予め定められた閾値を超えた場合には、ポンプ１０６の駆動圧を増大させるようにポンプ１０６の運転制御を行ってもよい。
【００３３】
循環ライン１０４の下流側部分に設定された分岐点１２０において、循環ライン１０４から洗浄用ライン１２２が分岐している。分岐点１２０よりも下流側の部分において、循環ライン１０４には開閉弁１２４が介設されており、また、洗浄用ライン１２２にも開閉弁１２６が介設されている。洗浄用ライン１２２の下流端には、タンク１０２の内壁面を洗浄するための洗浄ノズル１２８が取り付けられている。洗浄ノズル１２８は、タンク１０２内の処理液の液面ＬＳが予め設定された目標高さ位置（後述の図６におけるＬ１に対応）よりも高い高さ位置にある。
【００３４】
各処理ユニット１６には、排液ライン１３０が接続されている。複数の排液ライン１３０が１つの戻しライン１３２に接続されている。戻しライン１３２は、タンク１０２に接続されている。この構成により、ノズル（処理流体供給部４０）からウエハＷに供給された後ウエハＷを離れた使用済みの処理液を、排液ライン１３０及び戻しライン１３２を介してタンク１０２に戻すことができる。戻しライン１３２を構成するパイプの下流端は、タンク１０２内にあり、かつ、タンク１０２内に存在する処理液の液位よりも低い高さ位置にある。
【００３５】
タンク１０２に、処理液または処理液構成成分を予め設定された目標高さ位置まで補充する処理液補充部１３４が設けられている。処理液補充部１３４は、補充用処理液供給源１３４Ａに接続された補充用処理液供給ライン１３４Ｂと、補充用処理液供給ライン１３４Ｂに介設された開閉弁１３４Ｃとを有する。補充用処理液供給ライン１３４Ｂを構成するパイプの下流端は、タンク１０２内にあり、かつ、タンク１０２内に存在する処理液の液位よりも低い高さ位置にある。
【００３６】
タンク１０２の底部には、タンク１０２内の処理液を廃棄するためのドレンライン１３６が接続されている。ドレンライン１３６には、開閉弁１３８が介設されている。タンク１０２には、タンク１０２内の処理液の液面ＬＳの高さ位置（液位）を検出するための液位センサ１４０が設けられている。
【００３７】
タンク１０２の上部は天板で塞がれており、循環ライン１０４、洗浄用ライン１２２、戻しライン１３２及び補充用処理液供給ライン１３４Ｂを構成するパイプは、前記天板を貫通している。
【００３８】
好適な一実施形態において、洗浄ノズル１２８は、吐出口としての複数の穴が穿たれたタンク１０２の内壁面に沿って延びる少なくとも１本の管状体により構成することができる。
【００３９】
タンク１０２の水平断面が矩形の場合、例えば図４に示すように、概ね矩形に曲げ加工された１本の管状体１２８Ａにより洗浄ノズル１２８を構成することができる。この場合、タンクの天板を貫通して上下に延びる洗浄用ライン１２２を構成するパイプが管状体１２８Ａに接続される。管状体１２８Ａに形成された吐出口としての複数の穴（図４には図示せず）からタンク１０２の内壁面に向けて処理液が供給される（管状体１２８Ａからタンク１０２の内周面に向けて延びる矢印を参照）。
【００４０】
これに代えて、例えば図５に示すように、矩形の４つの辺にそれぞれ対応する４本の管状体１２８Ｂにより洗浄ノズル１２８を構成することもできる。この場合、洗浄用ライン１２２を構成するパイプは洗浄用ライン１２２の下流端部で４本に分岐し、４本の管状体１２８Ｂにそれぞれ接続される。各管状体１２８Ｂに形成された吐出口としての複数の穴（図５には図示せず）からタンク１０２の内壁面に向けて処理液が供給される（管状体１２８Ａからタンク１０２の内周面に向けて延びる矢印を参照）。
【００４１】
パーティクル等の汚染物質は、タンク１０２の処理液の液面に浮かんでタンク１０２の内壁面に付着することが多い。そして、タンク１０２内の処理液を交換する時などで処理液の液面が低下した際に、タンク１０２の内壁面にはパーティクル等の汚染物質が付着したまま残ってしまう。洗浄ノズル１２８の高さ位置及び吐出口の向きは、この汚染物質が付着しやすい箇所を確実に洗浄することができるように設定される。これについて図６を参照して説明する。
【００４２】
タンク１０２内の処理液の液位の管理方式は、液位（図３の符号ＬＳを参照）が予め設定された目標高さ位置に常時あるように液位センサ１４０の検出値に基づいて処理液補充部１３４のフィードバック制御を行う管理方式（以下、「第１管理方式」とも呼ぶ）がある。また、液位センサ１４０により液位が下限高さ位置（図６の鎖線Ｌ３）、つまり補充開始位置まで低下したことが検出されたら液位を予め設定された目標高さ位置（図６の鎖線Ｌ１）、つまり、補充停止位置となるまで処理液補充部１３４から処理液を補充する管理方式（以下、「第２管理方式」とも呼ぶ）がある。なお、第１管理方式の場合、液面は、比較的小さな範囲で変動し、例えば、鎖線Ｌ１と鎖線Ｌ２との間で変動する。
【００４３】
採用する管理方式に依存して汚染物質の付着範囲及び付着密度が異なるが、いずれの場合も、汚染物質は、液面が存在しうる最も高い位置付近に最も多く付着する。従って、図６に示すように、液面が存在しうる最も高い位置である予め設定された目標高さ位置（図６の鎖線Ｌ１）とほぼ同じか若しくはそれよりも高い位置に洗浄用の処理液が衝突するように、洗浄ノズル１２８の高さ位置及び吐出口１２９の向きを定めることが好ましい。また、タンク１０２の内壁面に衝突した洗浄用の処理液が跳ねずに内壁面に沿って流下するように、洗浄用の処理液が斜め下方に向けてタンク１０２の内壁面に向けて吐出されるように吐出口１２９の向きを定めることが好ましい（図６の白抜き矢印Ｓを参照）。
【００４４】
なお、洗浄ノズル１２８を２つの異なる高さ位置に設け、低い位置にある洗浄ノズル１２８がタンク１０２の内壁面上の鎖線Ｌ１の高さ位置付近（最も高密度で汚染物質が付着している部位）に向けて処理液を吐出し、高い位置にある洗浄ノズルがそれよりもさらに高い位置に向けて処理液を吐出してもよい。そうすることにより、低い位置にある洗浄ノズルから吐出された処理液の衝突エネルギにより効率良く汚染物質をタンク１０２の内壁面から引き剥がすことができ、また、高い位置にある洗浄ノズルから吐出された処理液により、引き剥がされた汚染物質を確実に下方に流すことができる。
【００４５】
次に、処理液の交換時に行われるタンク１０２の洗浄方法について説明する。
【００４６】
今、ある処理ロットのウエハＷの処理が終了した直後であり、タンク１０２内の処理液は許容限界まで劣化しているかあるいは汚染物質含有量が許容限界まで達しており、処理液の交換が必要な状況である。ウエハＷの処理中に開いていた開閉弁１２４及び閉じていた開閉弁１２６は引き続き同じ状態を維持しており、また、ウエハＷの処理中に稼働していたポンプ１０６は引き続き稼働しており、循環ライン１０４内で処理液が循環中である。処理ユニット１６のいずれにおいてもウエハＷの処理は行われていないので、流れ制御機器１１８に含まれる開閉弁は閉じている。従って、循環ライン１０４から分配ライン１１４への処理液の流入はない。また、排液ライン１３０及び戻しライン１３２内に処理液は実質的に存在していない。
【００４７】
上記の状態から、まず、ドレンライン１３６の開閉弁１３８を開き、タンク１０２内の処理液の排液を開始する。
【００４８】
タンク１０２内の処理液の排液の開始とほぼ同時（排液の開始よりやや前またはやや後でもよい）に循環ライン１０４の開閉弁１２４を閉じて洗浄用ライン１２２の開閉弁１２６を開き、循環ライン１０４の分岐点１２０に流入してきた処理液が洗浄用ライン１２２を介して洗浄ノズル１２８に流入するようにする。これにより、洗浄ノズル１２８からタンク１０２の内壁面に処理液が噴射され、内壁面に付着している汚染物質が洗い流される。
【００４９】
ドレンライン１３６からの排液の進行に伴い、タンク１０２内の処理液の液位が低下してゆく。タンク１０２内の処理液の液位が循環ライン１０４の上流端の接続高さ位置と概ね同じかそれより低くなるとポンプ１０６の空打ちが生じるので、空打ちが生じた直後に、あるいは空打ちが生じるような液位となったことが液位センサ１４０により検出されたら、ポンプ１０６を停止する。その後、タンク１０２内が空になるまで、引き続きドレンライン１３６からの排液を行う。
【００５０】
上記のタンク１０２の洗浄の手順を開始してからポンプ１０６が停止されるまでの間ずっと、洗浄ノズル１２８からタンク１０２の内壁面に処理液が噴射され続ける。これにより、タンク１０２の内壁面に付着していた汚染物質が洗浄ノズル１２８から噴射された処理液により洗い流され、タンク１０２の内壁面上を下方に向けて流れ、タンク１０２内に貯留された処理液内に流れ込む。タンク１０２内に貯留された処理液内に流れ込んだ汚染物質の一部は、処理液と一緒にドレンライン１３６を通ってタンク１０２内から排出される。タンク１０２内に貯留された処理液内に流れ込んだ汚染物質の他の一部は、循環ライン１０４に流出し、フィルタ１０８により捕捉される。タンク１０２には、フィルタ１０８により清浄化された処理液が供給される。上記により、タンク１０２の内壁面に付着していた汚染物質を除去することができる。
【００５１】
タンク１０２が空になったら、処理液補充部１３４からタンク１０２内に新しい処理液の供給を開始し、その後ドレンライン１３６の開閉弁１３８を閉じる。ポンプ１０６の稼働に支障が無い程度までタンク１０２内の液位が上昇したら、ポンプ１０６を稼働させ、循環ライン１０４中に処理液を循環させる。これにより、清浄な処理液が循環ライン１０４内を循環するようになる。これにより、清浄な処理液を用いて処理ユニット１６でウエハＷの処理を再び行うことができるようになる。
【００５２】
なお、さらにタンク１０２、循環ライン１０４及び循環ライン１０４内の機器の清浄度を向上させたいのであれば、新しい処理液を用いて上記と同様の手順を１回以上実行してもよい。
【００５３】
上述した手順においては、ドレンライン１３６からの排液開始後タンク１０２内液位がポンプ１０６の空打ちが生じるような液位となるまでドレンライン１３６からの排液を継続的に行っているが、これには限定されず、例えば、ドレンライン１３６からの排液開始後タンク１０２内液位がポンプ１０６の空打ちが生じるような液位となる前の任意の時点で一旦排液を止めてもよい。この場合、ドレンライン１３６からの排液を停止した状態で、タンク１０２、分岐点１２０よりも上流側の循環ライン１０４、洗浄用ライン１２２及び洗浄ノズル１２８を順次経由して処理液を流し、これによりタンク１０２の内壁面の洗浄を行い、この状態を所定時間継続した後に、再びドレンライン１３６からの排液を開始してもよい。
【００５４】
上記実施形態によれば、タンク１０２内に設けた洗浄ノズル１２８からタンク１０２の内壁面に洗浄液が吐出されるため、タンク１０２の内壁面に付着した汚染物質を効率良く除去することができる。
【００５５】
また、上記実施形態によれば、タンク１０２及び循環ライン１０４にある使用済み処理液を利用してタンク１０２の内壁面の洗浄を行うため、専用の洗浄液により洗浄を行う場合と比較して、廉価に洗浄を行うことができる。また、洗浄ノズル１２８からの処理液の吐出のための駆動力を循環ライン１０４に介設されたポンプ１０６により発生させているため、別のポンプにより洗浄ノズル１２８からの処理液の吐出のための駆動力を発生させる場合と比較して、設備コストの上昇を抑制することができる。また、一般的には、タンク１０２の内壁面に付着する処理液由来の汚染物質（つまり処理液との化学反応によりウエハＷ上から除去された物質）は、汚染物質が由来する処理液を用いることにより効率良く落とすことができる。
【００５６】
タンク１０２の内壁面の洗浄を専用の洗浄液を用いて洗浄してもよい。この場合、図１０に示すように、洗浄用ライン１２２は、循環ライン１０４から分岐するのではなく、循環ライン１０４から独立して設けられ、その上流端が洗浄液供給源１５０に接続される。この場合、パーティクルを含まないより清浄度の高い洗浄液を用いることができるので、効率良く汚染物質を除去することが可能となる。また、特定の汚染物質に対して特に洗浄性能が高い洗浄液を用いることが可能となるので、洗浄効率を向上させることも可能となる。この場合も、タンク１０２の内壁面の洗浄は、タンク１０２内の処理液を交換するときに、タンク１０２内の処理液をドレンライン１３６から排液しながら行うことができる。なお、洗浄液がタンク１０２内の処理液と望ましくない反応（発熱、有害ガスの発生等）を生じるものであるならば、タンク１０２内の処理液を全て排液した後に、例えば、洗浄ノズル１２８から純水を吐出してタンク１０２の内壁面から処理液を洗い流した後に、洗浄ノズル１２８から洗浄液をタンク１０２の内壁面に吐出させることができる。このように処理液とは別の洗浄液を用いることにより、タンク１０２の内壁面の洗浄手順を柔軟に変更することができる。
【００５７】
上記の実施形態は下記のように改変することができる。
【００５８】
上述した直方体形状のタンク１０２に代えて、例えば図７に示すように水平断面が円形（または概ね円形）のタンク１０２Ａを使用してもよい。この場合、洗浄ノズル１２８は、タンク１０２Ａの内周面（内壁面）に沿った形状に曲げ加工された１本の管状体１２８Ｃにより構成することができる。管状体１２８Ｃには、円周方向に沿って間隔を空けて複数の穴（吐出口）（図７には図示せず）が形成される。各吐出口からは、平面視で半径方向外側に向けて処理液が吐出される（管状体１２８Ｃからタンク１０２Ａの内周面に向けて延びる矢印を参照）。また、図８に示すように、洗浄ノズル１２８を、円周方向に沿って間隔を空けて複数の穴（吐出口）（図８には図示せず）が形成された円盤状部材１２８Ｄから構成してもよい。各吐出口からは、平面視で半径方向外側に向けて処理液が吐出される（円盤状部材１２８Ｄからタンク１０２Ａの内周面に向けて延びる矢印を参照）。この場合、洗浄ノズル１２８を成す円盤状部材１２８Ｄは、吐出する処理液を駆動源とする回転式スプリンクラーのように構成されていてもよい。
【００５９】
水平断面が円形（または概ね円形）のタンク１０２Ａは、図９に示すように、全体として円筒形に形成することができる。図９に示すタンク１０２Ａは、底部が概ね漏斗形に、それより上の部分が円筒形に形成されている。タンク１０２Ａの漏斗形部分の底にはドレンライン１３６を構成するパイプが接続され、タンク１０２の円筒形部分の最下部には循環ライン１０４の上流端部分を構成するパイプが接続されている。タンク１０２の天板を貫通して循環ライン１０４の下流端部分及び洗浄用ライン１２２を構成するパイプが上下方向に延びている。
【００６０】
洗浄用ライン１２２を構成するパイプの先端には洗浄ノズル１２８Ｅが取り付けられている。この洗浄ノズル１２８Ｅは、タンク１０２の内周面（内壁面）に近接した位置からタンク１０２の内周面の概ね接線方向に、かつ、概ね水平方向またはやや下向きに、洗浄液を噴射する。洗浄ノズル１２８Ｅから噴射された洗浄液は、タンク１０２の内周面に沿って流れながら徐々に下方に落ちてゆく。すなわち、洗浄ノズル１２８Ｅから噴射された洗浄液は螺旋を描きながらタンク１０２の内周面に沿って流れる。この螺旋流れにより、タンク１０２の内周面に付着した汚染物質が洗い流される。図９の実施形態においても、洗浄の手順は、前述した実施形態と同じでよい。なお、図９では、戻しライン１３２及び補充用処理液供給ライン１３４Ｂを構成するパイプの記載は省略している。
【００６１】
水平断面が円形のタンクは、全体として概ね球形であってもよい。この場合も、図９の実施形態と同様に、洗浄ノズルによりタンクの内周面（内壁面）に沿って螺旋状に流れる処理液の流れが形成される。
【００６２】
上記実施形態においては、基板処理システム１の処理対象である基板が半導体ウエハＷであったが、これに限定されるものではなくＬＣＤ用のガラス基板、セラミック基板等の他の種類の基板であってもよい。
【符号の説明】
【００６３】
１６  処理ユニット
１０２、１０２Ａ  タンク
１０４  循環ライン
１２２  洗浄用ライン
１２８、１２８Ａ〜Ｅ  洗浄ノズル
１３２  戻しライン
【図１】
0006605394.tif 000002
【図２】
0006605394.tif 000003
【図３】
0006605394.tif 000004
【図４】
0006605394.tif 000005
【図５】
0006605394.tif 000006
【図６】
0006605394.tif 000007
【図７】
0006605394.tif 000008
【図８】
0006605394.tif 000009
【図９】
0006605394.tif 000010
【図１０】
0006605394.tif 000011